(57)【要約】【課題】所望な画像品質で画像を表示でき、効率的な診断を実現する。【解決手段】ポインティングデバイス３２ａおよびキーボード３２ｂを用いてオペレータが操作データを入力する動作に対してリアルタイムになるように、フィルタ条件に基づいて、磁気共鳴画像についてフィルタ処理を実施する。そして、フィルタ処理が実施された磁気共鳴画像を、そのポインティングデバイス３２ａおよびキーボード３２ｂを用いてオペレータが操作データを入力する動作に対してリアルタイムになるように表示部３３が表示する。【選択図】図３
2009165625.tif 000002
【特許請求の範囲】
【請求項１】
被検体の撮影領域についてスキャンを実施することによって収集されたローデータに基づいて、前記撮影領域について画像を生成する画像生成部と、前記画像生成部によって生成された画像について、フィルタ処理を実施するフィルタ処理部と、前記フィルタ処理部によってフィルタ処理が実施された画像を表示画面に表示する表示部とを有するイメージング装置であって、
オペレータによって操作データが入力されるポインティングデバイスおよびキーボードを含む操作部と、
前記操作部において前記ポインティングデバイスおよび前記キーボードに入力された前記操作データに基づいて、前記画像について前記フィルタ処理部がフィルタ処理する際のフィルタ条件を設定するフィルタ条件設定部と
を、さらに有し、
前記フィルタ処理部は、前記ポインティングデバイスおよび前記キーボードにオペレータが前記操作データを入力する動作に対してリアルタイムになるように、前記フィルタ条件設定部によって設定された前記フィルタ条件に基づいて、前記画像についてフィルタ処理を実施するように構成されており、
前記表示部は、前記フィルタ処理が実施された画像を、前記ポインティングデバイスおよび前記キーボードにオペレータが前記操作データを入力する動作に対してリアルタイムに表示する
イメージング装置。
【請求項２】
前記フィルタ処理部は、スムージング処理とエンハンス処理とのそれぞれを、前記フィルタ処理として実施するように構成されている、
請求項１に記載のイメージング装置。
【請求項３】
前記フィルタ条件設定部は、前記キーボードに含まれる複数のキーにおいて第１のキーがオペレータによって操作された際には、前記フィルタ処理部が前記スムージング処理を実施するように前記フィルタ条件を設定し、前記キーボードに含まれる複数のキーにおいて第１のキーと異なる第２のキーがオペレータによって操作された際には、前記フィルタ処理部が前記エンハンス処理を実施するように前記フィルタ条件を設定する、
請求項２に記載のイメージング装置。
【請求項４】
前記フィルタ条件設定部は、前記第１のキーがオペレータによって操作された際において、前記ポインティングデバイスにおいて選択される座標位置がオペレータによって第１の方向へ移動されるように操作された場合にはスムージングを強めるように、前記フィルタ条件を設定し、前記ポインティングデバイスにおいて選択される座標位置がオペレータによって第１の方向と異なる第２の方向へ移動されるように操作された場合にはスムージングを弱めるように、前記フィルタ条件を設定する、
請求項３に記載のイメージング装置。
【請求項５】
前記フィルタ条件設定部は、前記第２のキーがオペレータによって操作された際において、前記ポインティングデバイスにおいて選択される座標位置がオペレータによって前記第１の方向へ移動されるように操作された場合にはエンハンスを強めるように、前記フィルタ条件を設定し、前記ポインティングデバイスにおいて選択される座標位置がオペレータによって第１の方向と異なる第２の方向へ移動されるように操作された場合にはエンハンスを弱めるように、前記フィルタ条件を設定する、
請求項３または４に記載のイメージング装置。
【請求項６】
前記第１の方向と前記第２の方向とは、互いに反対の方向である、
請求項４または５に記載のイメージング装置。
【請求項７】
前記操作部において前記ポインティングデバイスおよび前記キーボードに入力された前記操作データに基づいて、前記フィルタ処理部によってフィルタ処理が実施された画像を前記表示部が表示する際のウィンドウレベルとウィンドウ幅とのウィンドウ条件を設定するウィンドウ条件設定部
を、さらに有し、
前記ウィンドウ条件設定部は、前記キーボードに含まれる複数のキーにおいて前記第１のキーおよび前記第２のキーと異なる第３のキーがオペレータによって操作された際に、前記ウィンドウ条件を設定するように構成されており、
前記表示部は、前記ウィンドウ条件設定部により設定された前記ウィンドウ条件に対応するように、前記画像を前記表示画面に表示する、
請求項３から６のいずれかに記載のイメージング装置。
【請求項８】
前記スキャンを実施するスキャン部
を有し、
前記スキャン部は、静磁場が形成された撮像空間において前記被検体の撮影領域についてスキャンを実施し、前記ローデータとして、前記撮影領域から磁気共鳴信号を取得するように構成されている、
請求項１から７のいずれかに記載のイメージング装置。
【発明の詳細な説明】
【技術分野】
【０００１】
本発明は、イメージング（ｉｍａｇｉｎｇ）装置に関する。特に、本発明は、被検体の撮影領域についてスキャン（ｓｃａｎ）を実施することによって収集されたローデータ（ｒａｗ  ｄａｔａ）に基づいて、その撮影領域について画像を生成し、その画像について、フィルタ処理を実施後、表示画面に表示するイメージング装置に関する。
【背景技術】
【０００２】
磁気共鳴イメージング（ＭＲＩ：Ｍａｇｎｅｔｉｃ  Ｒｅｓｏｎａｎｃｅ  Ｉｍａｇｉｎｇ）装置，Ｘ線ＣＴ（Ｃｏｍｐｕｔｅｄ  Ｔｏｍｏｇｒａｐｈｙ）装置などのイメージング装置は、被検体の撮影領域についてイメージングする装置として、特に、医療用途において多く利用されている。
【０００３】
イメージング装置において磁気共鳴イメージング装置は、核磁気共鳴（ＮＭＲ：Ｎｕｃｌｅａｒ  Ｍａｇｎｅｔｉｃ  Ｒｅｓｏｎａｎｃｅ）現象を用いて、被検体の撮影領域についてイメージングする。
【０００４】
具体的には、磁気共鳴イメージング装置においては、静磁場が形成された撮像空間内に被検体の撮影領域を収容することによって、その撮影領域におけるプロトン（ｐｒｏｔｏｎ）のスピンを、その静磁場の方向へ整列させ、磁化ベクトルを発生させる。そして、共鳴周波数のＲＦパルスを照射することによって、核磁気共鳴現象を発生させることにより、そのプロトンのスピンをフリップ（ｆｌｉｐ）させて、その磁化ベクトルを変化させる。その後、そのスピンが元の磁化ベクトルの状態に戻る際に生成される磁気共鳴信号を受信し、その受信された磁気共鳴信号に基づいて、撮影領域についてスライス画像などの磁気共鳴画像を再構成する。
【０００５】
上記のようにして生成した画像は、ウィンドウレベル（ＷＬ：Ｗｉｎｄｏｗ  Ｌｅｖｅｌ）とウィンドウ幅（ＷＷ：Ｗｉｎｄｏｗ  Ｗｉｄｔｈ）とのそれぞれが、適宜設定され、その設定されたウィンドウレベルとウィンドウ幅に対応するように、モニターの表示画面に表示される（たとえば、特許文献１参照）。
【０００６】
また、上記のようにして生成した画像については、フィルタ（ｆｉｌｔｅｒ）処理が実施された後に、表示画面に表示される。たとえば、画像を平滑化するスムージング（ｓｍｏｏｔｈｉｎｇ）処理と、画像のエッジ（ｅｄｇｅ）を強調するエンハンス（ｅｎｈａｎｃｅ）処理とのそれぞれが、フィルタ処理として実施される。このようにフィルタ処理を実施することによって、好適な画像品質で画像が表示画面に表示され、診断において有効的に使用される（たとえば、特許文献２参照）。
【０００７】
【特許文献１】特開２００４−４９６６９号公報
【特許文献２】特開２００６−１８５０３８号公報
【発明の開示】
【発明が解決しようとする課題】
【０００８】
しかしながら、上記においては、予めプリセットされたフィルタパラメータに対応するように、画像についてフィルタ処理を実施する。このため、所望なフィルタ条件にてフィルタ処理を実施することが困難であるため、所望な画像品質の画像を表示画面に表示できない場合があり、効率的に診断を実施することが困難な場合がある。
【０００９】
したがって、本発明は、所望な画像品質で画像を表示でき、効率的に診断を実施することが可能なイメージング装置を提供する。
【課題を解決するための手段】
【００１０】
本発明は、被検体の撮影領域についてスキャンを実施することによって収集されたローデータに基づいて、前記撮影領域について画像を生成する画像生成部と、前記画像生成部によって生成された画像について、フィルタ処理を実施するフィルタ処理部と、前記フィルタ処理部によってフィルタ処理が実施された画像を表示画面に表示する表示部とを有するイメージング装置であって、オペレータによって操作データが入力されるポインティングデバイスおよびキーボードを含む操作部と、前記操作部において前記ポインティングデバイスおよび前記キーボードに入力された前記操作データに基づいて、前記画像について前記フィルタ処理部がフィルタ処理する際のフィルタ条件を設定するフィルタ条件設定部とを、さらに有し、前記フィルタ処理部は、前記ポインティングデバイスおよび前記キーボードにオペレータが前記操作データを入力する動作に対してリアルタイムになるように、前記フィルタ条件設定部によって設定された前記フィルタ条件に基づいて、前記画像についてフィルタ処理を実施するように構成されており、前記表示部は、前記フィルタ処理が実施された画像を、前記ポインティングデバイスおよび前記キーボードにオペレータが前記操作データを入力する動作に対してリアルタイムに表示する。
【００１１】
好適には、前記フィルタ処理部は、スムージング処理とエンハンス処理とのそれぞれを、前記フィルタ処理として実施するように構成されている。
【００１２】
好適には、前記フィルタ条件設定部は、前記キーボードに含まれる複数のキーにおいて第１のキーがオペレータによって操作された際には、前記フィルタ処理部が前記スムージング処理を実施するように前記フィルタ条件を設定し、前記キーボードに含まれる複数のキーにおいて第１のキーと異なる第２のキーがオペレータによって操作された際には、前記フィルタ処理部が前記エンハンス処理を実施するように前記フィルタ条件を設定する。
【００１３】
好適には、前記フィルタ条件設定部は、前記第１のキーがオペレータによって操作された際において、前記ポインティングデバイスにおいて選択される座標位置がオペレータによって第１の方向へ移動されるように操作された場合にはスムージングを強めるように、前記フィルタ条件を設定し、前記ポインティングデバイスにおいて選択される座標位置がオペレータによって第１の方向と異なる第２の方向へ移動されるように操作された場合にはスムージングを弱めるように、前記フィルタ条件を設定する。
【００１４】
好適には、前記フィルタ条件設定部は、前記第２のキーがオペレータによって操作された際において、前記ポインティングデバイスにおいて選択される座標位置がオペレータによって前記第１の方向へ移動されるように操作された場合にはエンハンスを強めるように、前記フィルタ条件を設定し、前記ポインティングデバイスにおいて選択される座標位置がオペレータによって第１の方向と異なる第２の方向へ移動されるように操作された場合にはエンハンスを弱めるように、前記フィルタ条件を設定する。
【００１５】
好適には、前記第１の方向と前記第２の方向とは、互いに反対の方向である。
【００１６】
好適には、前記操作部において前記ポインティングデバイスおよび前記キーボードに入力された前記操作データに基づいて、前記フィルタ処理部によってフィルタ処理が実施された画像を前記表示部が表示する際のウィンドウレベルとウィンドウ幅とのウィンドウ条件を設定するウィンドウ条件設定部を、さらに有し、前記ウィンドウ条件設定部は、前記キーボードに含まれる複数のキーにおいて前記第１のキーおよび前記第２のキーと異なる第３のキーがオペレータによって操作された際に、前記ウィンドウ条件を設定するように構成されており、前記表示部は、前記ウィンドウ条件設定部により設定された前記ウィンドウ条件に対応するように、前記画像を前記表示画面に表示する。
【００１７】
好適には、前記スキャンを実施するスキャン部を有し、前記スキャン部は、静磁場が形成された撮像空間において前記被検体の撮影領域についてスキャンを実施し、前記ローデータとして、前記撮影領域から磁気共鳴信号を取得するように構成されている。
【発明の効果】
【００１８】
本発明によれば、所望な画像品質で画像を表示でき、効率的に診断を実施することが可能なイメージング装置を提供することができる。
【発明を実施するための最良の形態】
【００１９】
以下より、本発明にかかる実施形態の一例について図面を参照して説明する。
【００２０】
（装置構成）
図１は、本発明にかかる実施形態において、磁気共鳴イメージング装置１の構成を示す構成図である。
【００２１】
図１に示すように、本実施形態の磁気共鳴イメージング装置１は、スキャン部２と、操作コンソール部３とを有している。
【００２２】
磁気共鳴イメージング装置１は、静磁場が形成された撮像空間Ｂにおいてスキャン部２が被検体ＳＵの撮影領域についてスキャンを実施して磁気共鳴信号を収集後、その収集した磁気共鳴信号に基づいて、操作コンソール部３が撮影領域について磁気共鳴画像を生成し、表示するように、構成されている。
【００２３】
スキャン部２について説明する。
【００２４】
スキャン部２は、図１に示すように、静磁場マグネット部１２と、勾配コイル部１３と、ＲＦコイル部１４と、被検体移動部１５と、ＲＦ駆動部２２と、勾配駆動部２３と、データ収集部２４とを有しており、操作コンソール部３から出力される制御信号に基づいて、被検体ＳＵの撮影領域についてスキャンを実施する。
【００２５】
ここでは、スキャン部２は、静磁場が形成された撮像空間Ｂにおいて被検体の撮影領域についてスキャンを実施し、撮影領域から磁気共鳴信号をローデータとして取得するように構成されている。
【００２６】
具体的には、スキャン部２は、たとえば、円筒形状になるように形成されており、その中心部分の円柱状の空間を撮像空間Ｂとして、被検体ＳＵを収容する。そして、スキャン部２は、被検体ＳＵの撮影領域についてスキャンを実施する際には、静磁場マグネット部１２によって静磁場が形成された撮像空間Ｂにおいて、被検体移動部１５に載置された被検体ＳＵの撮影領域のスピンを励起するように、ＲＦコイル部１４がＲＦパルスを送信すると共に、そのＲＦパルスが送信された被検体ＳＵの撮影領域に勾配コイル部１３が勾配パルスを印加する。そして、その被検体ＳＵの撮影領域において発生する磁気共鳴信号をＲＦコイル部１４が受信する。
【００２７】
スキャン部２を構成する各構成部材について、順次、説明する。
【００２８】
静磁場マグネット部１２は、超伝導磁石（図示なし）により構成されており、被検体ＳＵが収容される撮像空間Ｂに静磁場を形成する。ここでは、静磁場マグネット部１２は、被検体移動部１５において載置されている被検体ＳＵの体軸方向（ｚ方向）に沿うように静磁場を形成する。すなわち、水平磁場型である。この他に、静磁場マグネット部１２は、垂直磁場型であって、一対の永久磁石が対面する方向に沿って静磁場を形成する場合であってもよい。
【００２９】
勾配コイル部１３は、ＲＦコイル部１４が受信する磁気共鳴信号に空間位置情報を付加するように、静磁場が形成された撮像空間Ｂに勾配磁場を形成する。ここでは、勾配コイル部１３は、ｘ方向とｙ方向とｚ方向との互いに直交する３軸方向のそれぞれに対応するように、３系統からなる。これらは、撮像条件に応じて、周波数エンコード方向と位相エンコード方向とスライス選択方向とのそれぞれに勾配磁場を形成するように、勾配パルスを印加する。具体的には、勾配コイル部１３は、被検体ＳＵのスライス選択方向に勾配磁場を印加し、ＲＦコイル部１４がＲＦパルスを送信することによって励起させる被検体ＳＵのスライスを選択する。また、勾配コイル部１３は、被検体ＳＵの位相エンコード方向に勾配磁場を印加し、ＲＦパルスにより励起されたスライスからの磁気共鳴信号を位相エンコードする。そして、勾配コイル部１３は、被検体ＳＵの周波数エンコード方向に勾配磁場を印加し、ＲＦパルスにより励起されたスライスからの磁気共鳴信号を周波数エンコードする。
【００３０】
ＲＦコイル部１４は、静磁場が形成される撮像空間Ｂ内において、電磁波であるＲＦパルスを送信して高周波磁場を形成し、被検体ＳＵの撮影領域におけるプロトンのスピンを励起する。そして、ＲＦコイル部１４は、その励起された被検体ＳＵの撮影領域内のプロトンによって発生する電磁波を磁気共鳴信号として受信する。
【００３１】
被検体移動部１５は、クレードル１５ａとクレードル移動部１５ｂとを有しており、制御部３０から出力される制御信号に基づいて、撮像空間Ｂの内部と外部との間において、クレードル１５ａをクレードル移動部１５ｂが移動するように構成されている。ここで、クレードル１５ａは、被検体ＳＵが載置される載置面を備えたテーブルであり、図１に示すように、クレードル移動部１５ｂによって、水平方向ｘｚと上下方向ｙとのそれぞれの方向に移動され、静磁場が形成される撮像空間Ｂに搬入および搬出される。クレードル移動部１５ｂは、クレードル１５ａを外部から撮像空間Ｂの内部へ収容するように搬入すると共に、撮像空間Ｂの内部から外部へ搬出するように構成されている。クレードル移動部１５ｂは、たとえば、ローラー式駆動機構を備えており、アクチュエータによりローラーを駆動させてクレードル１５ａを水平方向ｘｚに移動する。また、クレードル移動部１５ｂは、たとえば、アーム式駆動機構を備えており、交差した２本のアーム間の角度を可変することにより、クレードル１５ａを上下方向ｙに移動する。
【００３２】
ＲＦ駆動部２２は、ＲＦコイル部１４を駆動させて撮像空間Ｂ内にＲＦパルスを送信させて、撮像空間Ｂに高周波磁場を形成させる。ＲＦ駆動部２２は、操作コンソール部３から出力される制御信号に基づいて、ゲート変調器（図示なし）を用いてＲＦ発振器（図示なし）からの信号を所定のタイミングおよび所定の包絡線の信号に変調した後に、そのゲート変調器により変調された信号を、ＲＦ電力増幅器（図示なし）によって増幅してＲＦコイル部１４に出力し、ＲＦパルスを送信させる。
【００３３】
勾配駆動部２３は、操作コンソール部３からの制御信号に基づいて、勾配パルスを勾配コイル部１３に印加して駆動させ、静磁場が形成されている撮像空間Ｂ内に勾配磁場を発生させる。勾配駆動部２３は、３系統の勾配コイル部１３に対応して３系統の駆動回路（図示なし）を有する。
【００３４】
データ収集部２４は、操作コンソール部３から出力された制御信号に基づいて、ＲＦコイル部１４が受信する磁気共鳴信号を収集する。ここでは、データ収集部２４は、ＲＦコイル部１４が受信する磁気共鳴信号をＲＦ駆動部２２のＲＦ発振器（図示なし）の出力を参照信号として位相検波器（図示なし）が位相検波する。その後、Ａ／Ｄ変換器（図示なし）を用いて、このアナログ信号である磁気共鳴信号をデジタル信号に変換して出力する。ここでは、ｋ空間における複数のビューのそれぞれに対応するように、磁気共鳴信号を繰返し収集する。
【００３５】
操作コンソール部３について説明する。
【００３６】
操作コンソール部３は、図１に示すように、制御部３０と、データ処理部３１と、操作部３２と、表示部３３と、記憶部３４とを有する。また、図１に示すように、本実施形態においては、操作部３２は、ポインティングデバイス３２ａとキーボード３２ｂとを含む。
【００３７】
操作コンソール部３の各構成要素について、順次、説明する。
【００３８】
制御部３０は、コンピュータと、そのコンピュータに所定のデータ処理を実行させるプログラムを記憶するメモリとを有しており、各部を制御するように、プログラムがコンピュータを機能させる。ここでは、制御部３０は、操作部３２から出力される操作データに基づいて、ＲＦ駆動部２２と勾配駆動部２３とデータ収集部２４とのそれぞれに制御信号を出力することによって、スキャンを実行するように、プログラムによってコンピュータが機能して、スキャン部２を制御する。そして、これと共に、データ処理部３１と表示部３３と記憶部３４とへ、制御信号を出力し、制御を行うように、プログラムによってコンピュータが機能する。
【００３９】
データ処理部３１は、コンピュータと、そのコンピュータを用いて所定のデータ処理を実行するプログラムを記憶するメモリとを有しており、制御部３０から出力された制御信号に基づいて、データ処理を実施する。
【００４０】
図２は、本発明にかかる実施形態１において、データ処理部３１を示す機能ブロック図である。
【００４１】
図２に示すように、データ処理部３１は、画像生成部３１１と、フィルタ条件設定部３１２と、フィルタ処理部３１３と、ウィンドウ条件設定部３１４とを含み、プログラムがコンピュータを動作させることによって、各部として機能するように構成されている。
【００４２】
データ処理部３１において画像生成部３１１は、スキャン部２がスキャンを実行することによって収集した磁気共鳴信号をローデータとして、被検体ＳＵの撮影領域について磁気共鳴画像を生成する。具体的には、ｋ空間に対応するように収集された磁気共鳴信号について、逆フーリエ変換処理を実施することによって、磁気共鳴画像をデジタル画像として再構成する。
【００４３】
データ処理部３１においてフィルタ条件設定部３１２は、画像生成部３１１によって生成された磁気共鳴画像について、フィルタ処理部３１３がフィルタ処理する際のフィルタ条件を、設定するように構成されている。ここでは、フィルタ条件設定部３１２は、操作部３２においてポインティングデバイス３２ａおよびキーボード３２ｂに入力された操作データに基づいて、フィルタ条件を設定する。
【００４４】
ここでは、ポインティングデバイス３２ａおよびキーボード３２ｂがオペレータによって操作された際において出力される操作データと、フィルタ条件を設定する際の設定データとの関係を関連付けたテーブルをデータとしてメモリに予め記憶しており、そのテーブルを用いて、操作データに対応する設定データを選択し、このフィルタ条件を設定する。たとえば、磁気共鳴画像の一画素と、その一画素の隣接画素とのそれぞれに対して重み係数を設定したフィルタマスクを用いて、その磁気共鳴画像についてコンボリューション演算処理を実施することでフィルタ処理を実行する場合には、そのフィルタマスクの重み係数の設定を、操作データに基づいて変更し、フィルタ条件として設定する。
【００４５】
詳細については後述するが、フィルタ条件設定部３１２は、キーボード３２ｂに含まれる複数のキーにおいて第１のキーがオペレータによって操作された際には、フィルタ処理部３１３がスムージング処理をフィルタ処理として実施するようにフィルタ条件を設定する。また、そのキーボード３２ｂに含まれる複数のキーにおいて第１のキーと異なる第２のキーがオペレータによって操作された際には、フィルタ処理部３１３がエンハンス処理をフィルタ処理として実施するようにフィルタ条件を設定する。
【００４６】
具体的には、フィルタ条件設定部３１２は、上記のように、キーボード３２ｂの第１のキーがオペレータによって操作された際において、ポインティングデバイス３２ａにおいて選択される座標位置がオペレータによって第１の方向へ移動されるように操作された場合にはスムージングを強めるように、このフィルタ条件を設定する。一方で、キーボード３２ｂの第１のキーがオペレータによって操作された際において、ポインティングデバイス３２ａにおいて選択される座標位置がオペレータによって第１の方向と異なる第２の方向へ移動されるように操作された場合にはスムージングを弱めるように、フィルタ条件を設定する。
【００４７】
本実施形態においては、オペレータがポインティングデバイス３２ａを操作して、第１の方向として、たとえば、上方へ、カーソルを移動した場合に、スムージングを強めるフィルタパラメータを選定し、フィルタ条件を設定する。また、オペレータがポインティングデバイス３２ａを操作して、第２の方向として、たとえば、上方に対して反対の方向である下方へ、カーソルを移動した場合に、スムージングを弱めるフィルタパラメータを選定し、フィルタ条件を設定する。
【００４８】
また、フィルタ条件設定部３１２は、上記のように、キーボード３２ｂの第２のキーがオペレータによって操作された際において、ポインティングデバイス３２ａにおいて選択される座標位置がオペレータによって第１の方向へ移動されるように操作された場合にはエンハンスを強めるように、このフィルタ条件を設定する。一方で、キーボード３２ｂの第２のキーがオペレータによって操作された際において、ポインティングデバイス３２ａにおいて選択される座標位置がオペレータによって第１の方向と異なる第２の方向へ移動されるように操作された場合にはエンハンスを弱めるように、このフィルタ条件を設定する。
【００４９】
本実施形態においては、オペレータがポインティングデバイス３２ａを操作して、第１の方向として、たとえば、上方へ、カーソルを移動した場合に、エンハンスを強めるフィルタパラメータを選定し、フィルタ条件を設定する。また、オペレータがポインティングデバイス３２ａを操作して、第２の方向として、たとえば、上方に対して反対の方向である下方へ、カーソルを移動した場合に、エンハンスを弱めるフィルタパラメータを選定し、フィルタ条件を設定する。
【００５０】
データ処理部３１においてフィルタ処理部３１３は、画像生成部３１１によって生成された磁気共鳴画像について、フィルタ処理を実施する。
【００５１】
本実施形態においては、フィルタ処理部３１３は、フィルタ条件設定部３１２により設定されたフィルタ条件に対応して、磁気共鳴画像についてフィルタ処理を実施するように構成されている。具体的には、フィルタ処理部３１３は、スムージング処理とエンハンス処理とのそれぞれを、このフィルタ処理として実施する。具体的には、画素と、その画素の隣接画素とのそれぞれに対して重み係数を設定したフィルタマスクを用いて、磁気共鳴画像についてコンボリューション演算処理を実施することで、このフィルタ処理を実行する。
【００５２】
ここでは、フィルタ処理部３１３は、操作部３２においてポインティングデバイス３２ａおよびキーボード３２ｂにオペレータが操作データを入力する動作に対して、リアルタイムになるように、フィルタ条件設定部３１２によって設定されたフィルタ条件に基づいて、磁気共鳴画像についてフィルタ処理を実施する。
【００５３】
データ処理部３１においてウィンドウ条件設定部３１４は、フィルタ処理部３１３によってフィルタ処理が実施された磁気共鳴画像を表示部３３が表示する際のウィンドウレベルとウィンドウ幅とのウィンドウ条件を、操作部３２においてポインティングデバイス３２ａおよびキーボード３２ｂに入力された操作データに基づいて、設定するように構成されている。たとえば、ポインティングデバイス３２ａおよびキーボード３２ｂがオペレータによって操作された際において出力される操作データと、ウィンドウ条件を設定する際の設定データとの関係を関連付けたテーブルをデータとしてメモリに予め記憶しており、そのテーブルを用いて、操作データに対応する設定データを選択し、このウィンドウ条件を設定する。
【００５４】
詳細については後述するが、ウィンドウ条件設定部３１４は、キーボード３２ｂに含まれる複数のキーにおいて、上記の第１のキーおよび第２のキーと異なる第３のキーがオペレータによって操作された際に、ウィンドウ条件を設定する。具体的には、ウィンドウ条件設定部３１４は、キーボード３２ｂの第３のキーがオペレータによって操作された際において、ポインティングデバイス３２ａにおいて選択される座標位置がオペレータによって第１の方向へ移動されるように操作された場合には、たとえば、ウィンドウレベルを大きくするように、このウィンドウ条件を設定する。一方で、キーボード３２ｂの第３のキーがオペレータによって操作された際において、ポインティングデバイス３２ａにおいて選択される座標位置がオペレータによって第１の方向と異なる第２の方向へ移動されるように操作された場合には、ウィンドウレベルを小さくするように、ウィンドウ条件を設定する。
【００５５】
また、本実施形態においては、ウィンドウ条件設定部３１４は、操作部３２においてポインティングデバイス３２ａおよびキーボード３２ｂにオペレータが操作データを入力する動作に対して、リアルタイムになるように、ウィンドウ条件について設定する。
【００５６】
操作部３２は、図１に示すように、ポインティングデバイス３２ａおよびキーボード３２ｂを含む。ポインティングデバイス３２ａは、たとえば、マウスであり、表示画面上において表示されているカーソルをオペレータが移動し、その表示画面上における座標位置を指定することによって、操作データが入力されるように構成されている。キーボード３２ｂは、たとえば、複数のキーが配列されており、オペレータがキーを押すことによって、そのキーに割り当てられた操作データが入力されるように構成されている。この操作部３２においては、ポインティングデバイス３２ａおよびキーボード３２ｂにオペレータによって操作データが入力された後に、操作部３２が、その入力された操作データを、制御部３０に出力するように構成されている。
【００５７】
表示部３３は、ＬＣＤ（Ｌｉｑｕｉｄ  Ｃｒｙｓｔａｌ  Ｄｉｓｐｌａｙ）やＣＲＴ（Ｃａｔｈｏｄｅ  Ｒａｙ  Ｔｕｂｅ）などの表示デバイスを含み、制御部３０から出力された制御信号に基づいて、表示画面に画像を表示する。たとえば、表示部３３は、オペレータによって操作部３２に操作データが入力される入力項目を示す画像を表示画面に複数表示する。また、表示部３３は、被検体ＳＵの撮影領域から収集した磁気共鳴信号に基づいて生成された画像のデータを受けて、表示画面に表示する。
【００５８】
本実施形態においては、表示部３３は、上記のように、フィルタ処理部３１３によってフィルタ処理が実施された磁気共鳴画像を表示画面に表示する。ここでは、表示部３３は、操作部３２においてポインティングデバイス３２ａおよびキーボード３２ｂに、オペレータがフィルタ条件に関する操作データを入力する動作に対してリアルタイムになるように、このフィルタ処理が実施された磁気共鳴画像を表示する。
【００５９】
また、表示部３３は、ウィンドウ条件設定部３１４により設定されたウィンドウ条件に対応するように、磁気共鳴画像を表示画面に表示する。ここでは、表示部３３は、操作部３２においてポインティングデバイス３２ａおよびキーボード３２ｂに、オペレータがウィンドウ条件に関する操作データを入力する動作に対してリアルタイムになるように、この磁気共鳴画像を表示する。
【００６０】
記憶部３４は、メモリを含み、各種データを記憶している。記憶部３４は、その記憶されたデータが必要に応じて制御部３０によってアクセスされる。
【００６１】
（動作）
以下より、上記の本発明にかかる実施形態の磁気共鳴イメージング装置１が被検体ＳＵの撮影領域について磁気共鳴画像を生成し表示する際の動作について、説明する。
【００６２】
図３は、本発明にかかる実施形態において、磁気共鳴画像を生成し表示する際の動作を示すフロー図である。
【００６３】
図３に示すように、スキャンの実施を行う（Ｓ１１）。
【００６４】
ここでは、撮像空間Ｂにおいて被検体ＳＵの撮影領域についてスキャンを実施することによって、スキャン部２が磁気共鳴信号を収集する。
【００６５】
たとえば、人体である被検体ＳＵの撮影領域としてスキャンを実施し、その腹部から磁気共鳴信号を収集する。たとえば、スピンエコー法によって、被検体の撮影領域について繰返し時間ＴＲごとにスキャンを繰返し実施することによって、ｋ空間において複数のビューのそれぞれに対応するように、磁気共鳴信号を収集する。
【００６６】
つぎに、図３に示すように、磁気共鳴画像の生成を行う（Ｓ２１）。
【００６７】
ここでは、上記のように、スキャンの実施によって収集した磁気共鳴信号について画像生成部３１１が画像再構成処理を実行することによって、被検体ＳＵの撮影領域について磁気共鳴画像を再構成する。具体的には、上記のようにｋ空間に対応するように収集された磁気共鳴信号を、逆フーリエ変換することによって、磁気共鳴画像を再構成する。
【００６８】
つぎに、図３に示すように、磁気共鳴画像の表示を行う（Ｓ３１）。
【００６９】
ここでは、上記のように、画像生成部３１１によって生成された磁気共鳴画像を、表示部３３が表示画面に表示する。
【００７０】
本実施形態においては、磁気共鳴画像についてフィルタ処理を実施後に、表示画面に表示する。
【００７１】
具体的には、磁気共鳴画像を平滑化するスムージング処理と、画像のエッジを強調するエンハンス処理とのそれぞれを、フィルタ処理として実施する。ここでは、予めプリセットされたフィルタパラメータに対応するように、磁気共鳴画像についてフィルタ処理を実施する。たとえば、エッジ強調フィルタ係数が「５０」であって、スムージングフィルタ係数が「５０」にプリセットされたフィルタパラメータに対応するように、フィルタ処理部３１３が、スムージング処理とエンハンス処理とをフィルタ処理として実施する。たとえば、プリセットされたフィルタパラメータに対応するように重み係数が設定されたフィルタマスクを用いて、磁気共鳴画像についてコンボリューション演算処理を実施することで、このフィルタ処理を実行する。その後、このようにしてフィルタ処理が実施された磁気共鳴画像を表示部３３が表示画面に表示する。
【００７２】
つぎに、図３に示すように、フィルタ処理の要否について判断する（Ｓ４１）。
【００７３】
ここでは、表示部３３において表示画面に表示された磁気共鳴画像を、オペレータが観察し、その表示された磁気共鳴画像について、さらにフィルタ処理を実施することが必要であるか否かについて判断する。
【００７４】
そして、フィルタ処理を実施することが不要であると判断する場合（Ｎｏ）には、図３に示すように、ウィンドウ条件の変更の要否について判断する（Ｓ１０１）。
【００７５】
一方で、図３に示すように、フィルタ処理を実施することが必要であると判断する場合（Ｙｅｓ）には、そのフィルタ処理を実施する際のフィルタ条件の設定を行う（Ｓ５１）。
【００７６】
ここでは、上記にて生成された磁気共鳴画像についてフィルタ処理する際のフィルタ条件をフィルタ条件設定部３１２が設定する。
【００７７】
本実施形態においては、操作部３２に入力された操作データに基づいて、フィルタ条件を設定する。
【００７８】
図４は、本発明にかかる実施形態において、操作部３２を示す図である。図４において、図４（ａ）は、操作部３２にてポインティングデバイス３２ａを示す上面図であり、図４（ｂ）は、操作部３２にてキーボード３２ｂの一部を示す上面図である。
【００７９】
図４に示すように、ポインティングデバイス３２ａおよびキーボード３２ｂを用いて、オペレータが操作データを入力し、そのポインティングデバイス３２ａおよびキーボード３２ｂにおいて入力された操作データに基づいて、フィルタ条件設定部３１２がフィルタ条件を設定する。
【００８０】
具体的には、図４に示すように、キーボード３２ｂに含まれる複数のキーＫにおいて、「Ｓ」の文字が示されている第１のキーＫ１を、オペレータが選択的に押して操作した際には、スムージング処理を、フィルタ処理として実施するように、フィルタ条件を設定する。
【００８１】
ここでは、図４に示すように、ポインティングデバイス３２ａにおいて選択される座標位置が、上方である第１の方向Ｄ１へ移動されるように、オペレータがポインティングデバイス３２ａを操作した場合には、スムージングを強めるように、このフィルタ条件を設定する。たとえば、スムージングフィルタ係数を、「５０」から「１００」へ変更し、そのスムージングフィルタ係数に対応するように、フィルタマスクの重み係数を設定する。
【００８２】
また、図４に示すように、ポインティングデバイス３２ａにおいて選択される座標位置が第１の方向Ｄ１と異なり、下方である第２の方向Ｄ２へ移動されるように、オペレータがポインティングデバイス３２ａを操作した場合には、スムージングを弱めるように、フィルタ条件を設定する。たとえば、スムージングフィルタ係数を「５０」から「０」へ変更し、そのスムージングフィルタ係数に対応するように、フィルタマスクの重み係数を設定する。
【００８３】
一方で、図４に示すように、キーボード３２ｂに含まれる複数のキーＫにおいて第１のキーＫ１と異なり、「Ｅ」の文字が示されている第２のキーＫ２を、オペレータが選択的に押して操作した際には、エンハンス処理をフィルタ処理として実施するようにフィルタ条件を設定する。
【００８４】
ここでは、図４に示すように、ポインティングデバイス３２ａにおいて選択される座標位置が、上方である第１の方向Ｄ１へ移動されるように、オペレータがポインティングデバイス３２ａを操作した場合には、エンハンスを強めるように、このフィルタ条件を設定する。たとえば、エッジ強調フィルタ係数を、「５０」から「１００」へ変更し、そのエッジ強調フィルタ係数に対応するように、フィルタマスクの重み係数を設定する。
【００８５】
また、図４に示すように、ポインティングデバイス３２ａにおいて選択される座標位置が第１の方向Ｄ１と異なり、下方である第２の方向Ｄ２へ移動されるように、オペレータがポインティングデバイス３２ａを操作した場合には、エンハンスを弱めるように、フィルタ条件を設定する。たとえば、エッジ強調フィルタ係数を「５０」から「０」へ変更し、そのエッジ強調フィルタ係数に対応するように、フィルタマスクの重み係数を設定する。
【００８６】
つぎに、図３に示すように、設定されたフィルタ条件に対応するように、フィルタ処理の実施を行う（Ｓ６１）。
【００８７】
ここでは、上記にて設定されたフィルタ条件に対応するように、フィルタ処理部３１３が磁気共鳴画像についてフィルタ処理を実施する。
【００８８】
本実施形態においては、操作部３２においてポインティングデバイス３２ａおよびキーボード３２ｂにオペレータが操作データを入力する動作に対して、リアルタイムになるように、磁気共鳴画像についてフィルタ処理を実施する。すなわち、ポインティングデバイス３２ａおよびキーボード３２ｂにオペレータが操作データを入力したと同時に、磁気共鳴画像についてフィルタ処理を実施する。
【００８９】
たとえば、図４に示すように、キーボード３２ｂに含まれる複数のキーＫにおいて、「Ｓ」の文字が示されている第１のキーＫ１が、オペレータによって選択的に押され、かつ、ポインティングデバイス３２ａにおいて選択される座標位置が、上方である第１の方向Ｄ１へ移動されるように、オペレータによって操作された場合には、上記したように、スムージングフィルタ係数が、たとえば、「５０」から「１００」へ変更されるため、このスムージングフィルタ係数が変更された後のフィルタ条件に対応するように、フィルタ処理を実施する。
【００９０】
このようにスムージング処理を実行することによって、スムージングフィルタ係数が「５０」のフィルタ条件にてフィルタ処理された磁気共鳴画像よりも、全画素において画素値が平滑化された状態の磁気共鳴画像が生成される。
【００９１】
また、図４に示すように、キーボード３２ｂに含まれる複数のキーＫにおいて、「Ｓ」の文字が示されている第１のキーＫ１が、オペレータによって選択的に押され、かつ、ポインティングデバイス３２ａにおいて選択される座標位置が、下方である第２の方向Ｄ２へ移動されるように、オペレータによって操作された場合には、上記したように、スムージングフィルタ係数が、たとえば、「５０」から「０」へ変更されるため、このスムージングフィルタ係数が変更された後のフィルタ条件に対応するように、フィルタ処理を実施する。
【００９２】
このようにスムージング処理を実行することによって、スムージングフィルタ係数が「５０」のフィルタ条件にてフィルタ処理された磁気共鳴画像よりも、全画素において画素値が平滑化されていない状態の磁気共鳴画像が生成される。
【００９３】
また、図４に示すように、キーボード３２ｂに含まれる複数のキーＫにおいて、「Ｅ」の文字が示されている第２のキーＫ２が、オペレータによって選択的に押され、かつ、ポインティングデバイス３２ａにおいて選択される座標位置が、上方である第１の方向Ｄ１へ移動されるように、オペレータによって操作された場合には、上記したように、エッジ強調フィルタ係数が、たとえば、「５０」から「１００」へ変更されるため、このエッジ強調フィルタ係数が変更された後のフィルタ条件に対応するように、フィルタ処理を実施する。
【００９４】
このようにエンハンス処理を実行することによって、エッジ強調フィルタ係数が「５０」のフィルタ条件にてフィルタ処理された磁気共鳴画像よりも、エッジが更に強調された状態の磁気共鳴画像が生成される。
【００９５】
また、図４に示すように、キーボード３２ｂに含まれる複数のキーＫにおいて、「Ｅ」の文字が示されている第２のキーＫ２が、オペレータによって選択的に押され、かつ、ポインティングデバイス３２ａにおいて選択される座標位置が、下方である第２の方向Ｄ２へ移動されるように、オペレータによって操作された場合には、上記したように、エッジ強調フィルタ係数が、たとえば、「５０」から「０」へ変更されるため、このエッジ強調フィルタ係数が変更された後のフィルタ条件に対応するように、フィルタ処理を実施する。
【００９６】
このようにエンハンス処理を実行することによって、エッジ強調フィルタ係数が「５０」のフィルタ条件にてフィルタ処理された磁気共鳴画像よりも、エッジが強調されない状態の磁気共鳴画像が生成される。
【００９７】
つぎに、図３に示すように、フィルタ処理が実施された磁気共鳴画像の表示を行う（Ｓ７１）。
【００９８】
ここでは、上記のようにフィルタ処理が実施された磁気共鳴画像を、表示部３３が表示画面に表示する。
【００９９】
本実施形態においては、操作部３２においてポインティングデバイス３２ａおよびキーボード３２ｂに、オペレータがフィルタ条件に関する操作データを入力する動作に対してリアルタイムになるように、上記にてフィルタ処理が実施された磁気共鳴画像を表示する。
【０１００】
また、磁気共鳴画像を表示する際には、その表示する磁気共鳴画像について実施されたフィルタ条件を示す画像を表示画面に表示する。たとえば、エッジ強調フィルタ係数（Ｅ）が「３０」であって、スムージングフィルタ係数（Ｓ）が「５０」である場合には、そのフィルタ条件のデータに基づいて、画像生成部３１１が、たとえば、「Ｅ３０／Ｓ５０」のように、文字情報を示す画像を生成し、その文字情報を示す画像を表示部３３が磁気共鳴画像に重畳させて表示画面に表示する。
【０１０１】
つぎに、図３に示すように、ウィンドウ条件の変更の要否について判断する（Ｓ１０１）。
【０１０２】
ここでは、上記のように表示部３３において表示画面に表示された磁気共鳴画像を、オペレータが観察し、その表示された磁気共鳴画像について、ウィンドウ条件の変更が必要であるか否かについて判断する。
【０１０３】
そして、ウィンドウ条件の変更が不要である場合（Ｎｏ）には、図３に示すように、本動作を完了する。
【０１０４】
一方で、図３に示すように、ウィンドウ条件の変更が必要であると判断する場合（Ｙｅｓ）には、ウィンドウ条件の設定を行う（Ｓ１１１）。
【０１０５】
ここでは、表示部３３が磁気共鳴画像を表示する際のウィンドウレベルとウィンドウ幅とのウィンドウ条件を、操作部３２においてポインティングデバイス３２ａおよびキーボード３２ｂに入力された操作データに基づいて、ウィンドウ条件設定部３１４が設定する。
【０１０６】
本実施形態においては、操作部３２においてポインティングデバイス３２ａおよびキーボード３２ｂにオペレータが操作データを入力する動作に対して、リアルタイムになるように、ウィンドウ条件について設定する。
【０１０７】
具体的には、図４に示すように、キーボード３２ｂに含まれる複数のキーＫにおいて、第１のキーＫ１および第２のキーＫ２と異なる第３のキーＫ３を、オペレータが押し操作した際に、ウィンドウ条件を設定する。
【０１０８】
そして、キーボード３２ｂの第３のキーＫ３をオペレータが押した場合であって、ポインティングデバイス３２ａにおいて選択される座標位置をオペレータが第１の方向Ｄ１へ移動するようにポインティングデバイス３２ａを操作した場合には、たとえば、ウィンドウレベルを大きくするように、このウィンドウ条件を設定する。
【０１０９】
一方で、キーボード３２ｂの第３のキーＫ３をオペレータが押した場合であって、ポインティングデバイス３２ａにおいて選択される座標位置をオペレータが第２の方向Ｄ２へ移動するようにポインティングデバイス３２ａを操作した場合には、たとえば、ウィンドウレベルを小さくするように、このウィンドウ条件を設定する。
【０１１０】
つぎに、図３に示すように、設定されたウィンドウ条件に対応するように磁気共鳴画像の表示を行う（Ｓ１２１）。
【０１１１】
ここでは、上記のように設定されたウィンドウ条件に対応するように、表示部３３が磁気共鳴画像を表示画面に表示する。
【０１１２】
本実施形態においては、上記にように、操作部３２においてポインティングデバイス３２ａおよびキーボード３２ｂに、オペレータがウィンドウ条件に関する操作データを入力する動作に対してリアルタイムになるように、この磁気共鳴画像を表示する。
【０１１３】
以上のように、本実施形態においては、ポインティングデバイス３２ａおよびキーボード３２ｂを用いてオペレータが操作データを入力する動作に対してリアルタイムになるように、フィルタ条件設定部３１２によって設定されたフィルタ条件に基づいて、磁気共鳴画像についてフィルタ処理を実施する。そして、フィルタ処理が実施された磁気共鳴画像を、ポインティングデバイス３２ａおよびキーボード３２ｂを用いてオペレータが操作データを入力する動作に対してリアルタイムになるように表示部３３が表示する。このため、本実施形態においては、表示画面に表示された磁気共鳴画像をオペレータが確認しながら、フィルタ処理を実施する際のフィルタ条件を設定できる。
【０１１４】
したがって、本実施形態は、所望な画像品質で磁気共鳴画像を表示でき、効率的に診断を実施することができる。
【０１１５】
なお、上記の実施形態において、磁気共鳴イメージング装置１は、本発明のイメージング装置に相当する。また、上記の実施形態において、スキャン部２は、本発明のスキャン部に相当する。また、上記の実施形態において、表示部３３は、本発明の表示部に相当する。また、上記の実施形態において、画像生成部３１１は、本発明の画像生成部に相当する。また、上記の実施形態において、操作部３２は、本発明の操作部に相当する。また、上記の実施形態において、ポインティングデバイス３２ａは、本発明のポインティングデバイスに相当する。また、上記の実施形態において、キーボード３２ｂは、本発明のキーボードに相当する。また、上記の実施形態において、表示部３３は、本発明の表示部に相当する。また、上記の実施形態において、画像生成部３１１は、本発明の画像生成部に相当する。また、上記の実施形態において、フィルタ条件設定部３１２は、本発明のフィルタ条件設定部に相当する。また、上記の実施形態において、フィルタ処理部３１３は、本発明のフィルタ処理部に相当する。また、上記の実施形態において、ウィンドウ条件設定部３１４は、本発明のウィンドウ条件設定部に相当する。
【０１１６】
また、本発明の実施に際しては、上記した実施形態に限定されるものではなく、種々の変形例を採用することができる。
【０１１７】
たとえば、上記の実施形態においては、磁気共鳴イメージング装置において適用する場合について説明したが、これに限定されない。たとえば、Ｘ線ＣＴ装置など、他のイメージング装置に適用しても良い。
【０１１８】
また、上記の実施形態においては、画像を平滑化するスムージング処理と、画像のエッジを強調するエンハンス処理とのそれぞれのフィルタ処理について、独立に、フィルタ条件を設定する場合について説明したが、これに限定されない。たとえば、スムージング処理とエンハンス処理との各フィルタパラメータの複数の組合せを予め記憶し、その記憶された複数の組合せのうちの１つを、ポインティングデバイス３２ａとキーボード３２ｂとの操作に応じて選択するように構成されていても良い。具体的には、たとえば、エッジ強調フィルタ係数を「０」，スムージングフィルタ係数を「１００」とした場合と、エッジ強調フィルタ係数を「５０」，スムージングフィルタ係数を「５０」とした場合と、エッジ強調フィルタ係数を「１００」，スムージングフィルタ係数を「０」とした場合とのように、フィルタパラメータの複数の組合せを予め記憶しておき、その記憶された複数の組合せのうちの１つを、オペレータがポインティングデバイス３２ａとキーボード３２ｂとを用いて選択するように構成する。また、この他に、スムージング処理とエンハンス処理とのいずれか一方のみについて、フィルタ条件を設定するように構成されていても良い。
【図面の簡単な説明】
【０１１９】
【図１】図１は、本発明にかかる実施形態において、磁気共鳴イメージング装置１の構成を示す構成図である。
【図２】図２は、本発明にかかる実施形態１において、データ処理部３１を示す機能ブロック図である。
【図３】図３は、本発明にかかる実施形態において、磁気共鳴画像を生成し表示する際の動作を示すフロー図である。
【図４】図４は、本発明にかかる実施形態において、操作部３２を示す図である。
【符号の説明】
【０１２０】
１：磁気共鳴イメージング装置（イメージング装置）
２：スキャン部（スキャン部）、
３：操作コンソール部、
１２：静磁場マグネット部、
１３：勾配コイル部、
１４：ＲＦコイル部、
１４ａ…第１ＲＦコイル、
１４ｂ…第２ＲＦコイル
１５：クレードル、
２２：ＲＦ駆動部、
２３：勾配駆動部、
２４：データ収集部、
３０：制御部、
３１：データ処理部、
３２：操作部（操作部）、
３２ａ：ポインティングデバイス（ポインティングデバイス）、
３２ｂ：キーボード（キーボード）、
３３：表示部（表示部）、
３４：記憶部、
３１１：画像生成部（画像生成部）、
３１２：フィルタ条件設定部（フィルタ条件設定部）、
３１３：フィルタ処理部（フィルタ処理部）、
３１４：ウィンドウ条件設定部（ウィンドウ条件設定部）、
Ｂ：撮像空間
【図１】
2009165625.tif 000003
【図２】
2009165625.tif 000004
【図３】
2009165625.tif 000005
【図４】
2009165625.tif 000006